(57)【要約】【課題】使用できる室内空間を減少させずに、且つ、床下空間の高さ寸法を増加させずに床下空調を実現できるようにする。【解決手段】空調装置７からの空調空気を、床スラブＳとその床スラブＳの上方に離間させて設けた床材３Ａとの間の床下空間４を経由させて床材３Ａ上の室内Ｒに流出させる空調設備であって、空調装置７を、床スラブＳの下方に設置してある。【選択図】図１
2015007335.tif 000002
【特許請求の範囲】
【請求項１】
空調装置からの空調空気を、床スラブとその床スラブの上方に離間させて設けた床材との間の床下空間を経由させて前記床材上の室内に流出させる空調設備であって、
前記空調装置を、前記床スラブの下方に設置してある空調設備。
【請求項２】
前記空調装置の空調空気吐出口は、前記床材の裏面に向けて設置してある請求項１に記載の空調設備。
【請求項３】
前記空調装置のフィルターは、前記床下空間に面して設けてある請求項１又は２に記載の空調設備。
【請求項４】
前記床下空間に仕切材を設置してペリメータ側の床下区画を形成してあり、
前記ペリメータ側の床下区画に前記空調装置を連通接続してある請求項１〜３の何れか一項に記載の空調設備。
【発明の詳細な説明】
【技術分野】
【０００１】
本発明は、空調装置（室内機）からの空調空気を、床スラブとその床スラブの上方に離間させて設けた床材との間の床下空間を経由させて前記床材上の室内に流出させる空調設備に関する。
【背景技術】
【０００２】
従来、この種の空調設備としては、例えば、オフィスフロアー等の床下空間に、空調空気を通して床材上の空調対象室内に流出させることで、床下空間をダクトの代用として有効活用できるように構成されたものがある（所謂「床下空調」）。
また、空調空気の熱（温熱・冷熱含む）を床材を介して室内に放熱する放射空調の作用をも期待するものもある。
そして、このような空調設備においては、空調装置は、空調対象室内の床上に設置するものや、床下空間に設置するもの（例えば、特許文献１参照）があった。
【先行技術文献】
【特許文献】
【０００３】
【特許文献１】特開平４−３０２９２６号公報（図１）
【発明の概要】
【発明が解決しようとする課題】
【０００４】
上述した従来の空調設備の内、空調対象室内の床上に空調装置を設置してあるものによれば、空調装置の設置スペースを、床上に確保する必要があるから、自由に使用できる室内スペースが狭くなる問題点がある。
また、上述した従来の空調設備の内、床下空間内に空調装置を設置してあるものによれば、空調装置が床上を占用しないから室内スペースを広く使用できるものの、空調装置を床下空間に設置するため、通常、オフィスフロアー等で設定する床下空間の高さ寸法より大きく設定する必要があり、それに伴って、階高寸法が同一である条件下では、室内有効高さ寸法が小さくなる問題点がある。
【０００５】
従って、本発明の目的は、上記問題点を解消し、使用できる室内空間を減少させずに、且つ、床下空間の高さ寸法を増加させずに床下空調を実現できる空調設備を提供するところにある。
【課題を解決するための手段】
【０００６】
本発明の第１の特徴構成は、空調装置からの空調空気を、床スラブとその床スラブの上方に離間させて設けた床材との間の床下空間を経由させて前記床材上の室内に流出させる空調設備であって、前記空調装置を、前記床スラブの下方に設置してあるところにある。
【０００７】
本発明の第１の特徴構成によれば、前記空調装置を、前記床スラブの下方に設置してあるから、従来のように空調装置が床上のスペースを占用することがなく、室内スペースを広く使用できるようになる。
また、床下空間の高さ寸法を、特別に大きく設定する必要が無くなるから、その結果として、従来通りの室内有効高さ寸法や階高寸法を確保できる。
更には、空調装置を設置してある床スラブの下方は、一般的には下階の天井裏空間となっていることが多く、その場合は天井裏空間を空調装置の設置スペースとして無駄なく活用することができる。
【０００８】
本発明の第２の特徴構成は、前記空調装置の空調空気吐出口は、前記床材の裏面に向けて設置してあるところにある。
【０００９】
本発明の第２の特徴構成によれば、空調空気吐出口からの吐出空気は、温度変化の少ない状態で、且つ、温度境界層の影響の少ない流速の大きな状態で床材の裏面に衝突するから、床材に対する熱交換を効率よく行うことができる。
即ち、床材に対する熱交換の比率を向上させることができ、床材を介した放射空調を促進できるようになる。
【００１０】
本発明の第３の特徴構成は、前記空調装置のフィルターは、前記床下空間に面して設けてあるところにある。
【００１１】
本発明の第３の特徴構成によれば、空調装置のメンテナンスとしてフィルターの清掃や交換は特に頻度の高い作業となるが、このようなフィルタメンテナンス作業を、床スラブの上方側（床下空間側）から実施することができ、下階にまわって実施するのに比べて、効率よく行うことができる。
【００１２】
本発明の第４の特徴構成は、前記床下空間に仕切材を設置してペリメータ側の床下区画を形成してあり、前記ペリメータ側の床下区画に前記空調装置を連通接続してあるところにある。
【００１３】
本発明の第４の特徴構成によれば、前記ペリメータ側の床下区画に前記空調装置を連通接続してあるから、床材上の室内でのペリメータ側の空調を、前記空調装置によって実施できる。
また、床下空間の内の、前記仕切材よりインテリア側の床下空間を、他の空調の為の空間として有効に利用することができる。
その結果、インテリア側とペリメータ側とで異なる制御の空調を同時に行うことも可能となり、使用者の希望に対応した快適性の高い空調を実現することができるようになる。
尚、床下空間の全般は、ペリメータ側、インテリア側に拘わらず、配線や配管の設置スペースとして使用できることは勿論のことである。
【図面の簡単な説明】
【００１４】
【図１】空調設備を示す模式図
【図２】別実施形態の空調設備を示す模式図
【図３】別実施形態の空調設備を示す模式図
【発明を実施するための形態】
【００１５】
以下に本発明の実施の形態を図面に基づいて説明する。
【００１６】
図１は、本発明の空調設備の一つの設置例を示す建物要部の説明図である。
この図は、複数階層の建物Ｂの一つの階層について、ペリメータ側（窓側）とインテリア側（室内側）の一部とを示している。
【００１７】
建物Ｂは、各階層の境界に、例えば、コンクリート製の床スラブＳを設けると共に、各階層においては、ペリメータ側と外部との境界に、例えば、ガラスカーテンウォール製の壁部Ｗを設けて構成されている。
尚、床スラブＳや壁部Ｗの素材は、ここに挙げたものは一例に過ぎず、他の公知の素材によって構成することもできる。
【００１８】
上階の床スラブＳ１の下方には、図には示さない梁の梁成程度の寸法を隔てて天井材１が設けられている。上階の床スラブＳ１と天井材１との間の空間によって、天井裏空間２が構成されている。
【００１９】
また、当該階の床スラブＳ０の上方には、所謂「ＯＡフロア」を構成する二重床３が設けられている。
二重床３は、図には示さないが、複数の脚部材を当該階の床スラブＳ０上に横間隔をあけて設置すると共に、それらの脚部材にわたって床パネル（床材に相当）３Ａをそれぞれ取り付けて構成してある。当該階の床スラブＳ０と床パネル３Ａとの間の空間によって、床下空間４が構成されている。
【００２０】
各床パネル３Ａは、単独で脱着できるように構成されており、例えば、床下空間４への配線や配管の設置やメンテナンスの時に、該当箇所に設置されているものを一時的に取り外して作業を行うことができるように構成されている。
【００２１】
当該階層の空調設備５に関しては、インテリア側の空調設備５Ａと、ペリメータ側の空調設備５Ｂとをそれぞれ設けて構成してある。
空調設備５の制御は、図には示さない制御機構によって実施され、この制御機構は、インテリア側の空調設備５Ａとペリメータ側の空調設備５Ｂとを個別に制御できるように構成されている。
例えば、インテリア側の空調設備５Ａでは、冷房運転を行い、ペリメータ側の空調設備５Ｂでは、暖房運転を行う制御パターンをとったり、又は、その逆の運転制御パターンをとったり、又は、何れの空調設備５Ａ，５Ｂとも冷房運転（又は暖房運転）を行う制御パターンをとったりすることが可能である。
【００２２】
インテリア側の空調設備５Ａは、当該階の天井裏空間２に設置された空調室内機６と、この空調室内機６と冷媒を循環自在に連通接続された図外の空調室外機とを設けて構成してある。
空調室内機６の空調空気吐出口６ａは、室内Ｒに開口する状態で天井材１に設けてあり、この空調空気吐出口６ａから室内Ｒに空調空気を吐出できるように構成されている。
【００２３】
ペリメータ側の空調設備５Ｂは、当該階の床スラブＳ０の下方に設置された空調室内機（空調装置に相当）７と、この空調室内機７と冷媒を循環自在に連通接続された図外の空調室外機とを設けて構成してある。
空調室内機７は、具体的には、図１に示すとおり、下階の天井裏空間に位置する状態に設置されており、吸込側と吐出側の一対のダクトＤを介して、当該階の床下空間４の空気を空調室内機７に吸い込むと共に、空調室内機７で熱交換された空調空気を当該階の床下空間４に吐出できるように構成されている。
【００２４】
当該階の床下空間４は、ペリメータゾーンとインテリアゾーンとの境界位置に仕切材８を設置することで、ペリメータ側の床下区画４Ａと、インテリア側の床下区画４Ｂとに仕切っている。
また、ペリメータ側の床下区画４Ａについては、仕切材９を設置することで、空調室内機７の吸込側に連通する吸込側区画４Ａａと、空調室内機７の吐出側に連通する吐出側区画４Ａｂとに分割してある。
因みに、仕切材８，９は、例えば、スポンジ材やゴム材等のものを使用すれば、接触部に不陸があったにしても密接しやすく、且つ、設置作業を簡単に実施できる。
【００２５】
吸込側区画４Ａａは、室内Ｒでの壁部Ｗの際に開口したペリメータ吸込口１０に連通している。
吐出側区画４Ａｂは、室内Ｒでの床パネル３Ａに開口したペリメータ吐出口１１に連通している。
従って、空調室内機７を駆動させると、室内Ｒの空気がペリメータ吸込口１０から吸込側区画４Ａａを経由して空調室内機７に吸い込まれる。空調室内機７で熱交換された空調空気は、吐出されるに伴って、吐出側区画４Ａｂを経由してペリメータ吐出口１１から室内Ｒに流出し、ペリメータでの空調を行うことができる。
【００２６】
尚、空調室内機７のフィルターＦは、床下空間４の吸込側区画４Ａａに面する状態で吸込側のダクトＤ上端部に着脱自在に設けてある。従って、対応する部分の床パネル３Ａを取り外して、フィルターＦの取替作業やメンテナンス作業を床の上から簡単に実施できる。
また、空調室内機７の空調空気吐出口１２となる吐出側のダクトＤの上端開口は、上方の床パネル３Ａの裏面に向けて構成されており、ダクトＤから吐出側区画４Ａｂに吹き出された空調空気は、床パネル３Ａに接触することで熱交換を効率よく行うことができる。
その結果、床パネル３Ａに対する熱交換の比率を向上させることができ、床パネル３Ａを介した放射空調を促進できる。
【００２７】
ここに説明した空調設備５によれば、ペリメータ側の空調室内機７を、床スラブＳ０の下方の天井裏空間を無駄なく活用して設置してあるから、従来のように空調室内機が床上のスペースを占用することがなく、室内スペースを広く使用でき、更には、二重床３の高さ寸法も、特別に大きくする必要が無く、従来通りの室内有効高さ寸法や階高寸法を確保できる。
また、床パネル３Ａのペリメータ吐出口１１から空調空気を吹き出す直接風による空調効果のみならず、床パネルを介した放射空調の効果をも期待することができる。
更には、フィルタメンテナンス作業を、床スラブＳ０の上方側から実施することができ、下階にまわって実施するのに比べて、効率よく行うことができる。
【００２８】
〔別実施形態〕
以下に他の実施の形態を説明する。
【００２９】
〈１〉  空調設備として、床スラブＳ０の下方に設置する空調装置７が、先の実施形態で説明したペリメータ側の空調のみを行うものに限るものではなく、例えば、図２に示すように、インテリア側の空調をも兼用するものであってもよい。即ち、天井裏空間に別の空調装置を設置することに限るものではない。更には、仕切材８を床下空間４に必ず設けることに限るものではない。
また、図３に示すように、床スラブＳ０の下方に、ペリメータ側の空調設備５Ｂと、インテリア側の空調設備５Ａとをそれぞれ設ける構成であってもよい。この実施形態の場合、インテリア側の床下区画４Ｂについては、仕切材１３を設置することで、空調室内機６の吸込側に連通する吸込側区画４Ｂａと、空調室内機６の吐出側に連通する吐出側区画４Ｂｂとに分割してある。
尚、空調設備５の空調空気吐出口１２を、床材３Ａの裏面に向けて設置してあることで、空調空気が衝突する床材部分の近傍に熱交換効率の高い部分を作ることができ、その部分からの熱放射を利用したパーソナル空調の効果を期待することができる。
〈２〉  床下空間４や、天井裏空間２には、火災が拡大しないように防火区画を貫通する箇所に防火ダンパー等を設けてあってもよい。
【００３０】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３１】
３Ａ    床パネル（床材に相当）
４      床下空間
４Ａ    ペリメータ側の床下区画
１２    空調空気吐出口
７      空調室内機（空調装置に相当）
８      仕切材
Ｆ      フィルター
Ｒ      室内
Ｓ      床スラブ
【図１】
2015007335.tif 000003
【図２】
2015007335.tif 000004
【図３】
2015007335.tif 000005